(57)【特許請求の範囲】
【請求項１】
外部に対して紙幣を出し入れする紙幣出入口と、紙幣を収納する複数の紙幣収納部と、前記紙幣収納部の各々に対して、紙幣の集積動作を行う紙幣集積部と、前記紙幣収納部の各々に紙幣を搬送する内部搬送路と、前記内部搬送路の接続状態を切り替える切替部とを複数備え、紙幣取扱装置に搭載される紙幣収納庫であって、
第１の発光センサと、第１の受光センサと、前記第１の発光センサから発射された光を反射する第１の反射板と、
第２の発光センサと、第２の受光センサと、前記第２の発光センサから発射された光を反射する第２の反射板と、を備え、
前記第１の発光センサ又は前記第１の受光センサの内、一方のセンサを底板の下側に配置し、前記第１の発光センサ又は前記第１の受光センサの内、他方のセンサを、該紙幣収納庫の第１の側面側、かつ前記第１の反射板より高い位置に配置し、前記第１の反射板を、該紙幣収納庫の第２の側面側、かつ前記底板の位置を基準とした前記第１の反射板の高さが、前記紙幣取扱装置で取り扱う紙幣の内、短手方向の長さが最短である紙幣の長さ以下となる位置に配置し、
前記第２の発光センサと、前記第２の受光センサとを、前記底板の下側に配置し、前記第２の反射板を、前記第１の側面側、かつ前記底板の位置を基準とした前記第２の反射板の高さが、前記紙幣取扱装置で取り扱う紙幣の内、短手方向の長さが最短である紙幣の長さ以下となる位置に配置することを特徴とする、紙幣収納庫。
【請求項２】
請求項１に記載された紙幣収納庫であって、
前記底板は、該底板に略直交する面を対称面として、略対称となるように、前記第１の発光センサ又は前記第１の受光センサの内、一方のセンサの光軸が通過する第１の穴部と、前記第２の発光センサの光軸が通過する第２の穴部と、前記第２の受光センサの光軸が通過する第３の穴部と、を備えることを特徴とする、紙幣収納庫。
【請求項３】
請求項２に記載された紙幣収納庫であって、
前記第１の穴部と、前記第２の穴部又は前記第３の穴部との間の、紙幣の短手方向の距離を、前記紙幣取扱装置で取り扱う紙幣の内、短手方向の長さが最短である紙幣の長さ以下となるように配置することを特徴とする、紙幣収納庫。
【請求項４】
請求項２または請求項３に記載された紙幣収納庫であって、
前記第１の穴部と、前記紙幣収納部の壁面との紙幣の短手方向の距離と、前記第２の穴部又は前記第３の穴部と、前記紙幣収納部の壁面との紙幣の短手方向の距離とは、いずれも紙幣が壁面に寄り掛かることが不可能な距離であることを特徴とする、紙幣収納庫。
【請求項５】
請求項１〜４のいずれかに記載された紙幣収納庫であって、
前記底板の位置を基準とした前記第１の反射板及び前記第２の反射板の高さを、前記紙幣取扱装置で取り扱う紙幣の内、短手方向の長さが最短である紙幣の長さの半分以下となるように配置することを特徴とする、紙幣収納庫。
【請求項６】
請求項１から請求項５のいすれか１項に記載の紙幣収納庫と、自動取引装置と情報の送受信を行う制御部と、を備える紙幣取扱装置であって、
前記制御部は、
前記第１の受光センサの検出結果を前記自動取引装置に送信する、
ことを特徴とする、紙幣取扱装置。
【請求項７】
請求項１から請求項５のいすれか１項に記載の紙幣収納庫を備えた紙幣取扱装置と、保守情報等の入力や表示を行う係員操作部とを備えた自動取引装置であって、
前記係員操作部は、
前記第１の受光センサの検出結果に基づいた、紙幣の収納状態を示す画面を表示する、
ことを特徴とする、自動取引装置。
【発明の詳細な説明】
【技術分野】
【０００１】
本発明は、紙幣収納庫、紙幣取扱装置及び自動取引装置に関する。
【背景技術】
【０００２】
金融機関の窓口、およびキャッシュコーナーに設置されている自動取引装置（ＡＴＭ）には、紙幣取扱装置が実装されている。この紙幣取扱装置は、利用者が紙幣の投入・取り出しを行う紙幣入出金口と、入金された紙幣もしくは出金される紙幣を判別する紙幣判別部と、入金された紙幣を取引成立までの間一時的に収納する一時保管庫と、紙幣を収納・保管する紙幣収納庫と、上記の各部に紙幣を搬送する紙幣搬送路とが備えられている。
【０００３】
紙幣収納庫の例としては、例えば、入出金兼用の紙幣を金種別に収納するリサイクル庫、リサイクル庫に対する紙幣の補充およびリサイクル庫から紙幣の回収をする装填庫、紙幣判別部において所定の基準を満たさないと判別した紙幣を収納するリジェクト庫などがある。これらの内、リジェクト庫に収納される紙幣は、出金に供されることは無いため、特許文献１に記載されたような簡素化された構成にすることが可能である。
【先行技術文献】
【特許文献】
【０００４】
【特許文献１】特開平８−３０８３５号公報
【発明の概要】
【発明が解決しようとする課題】
【０００５】
上記特許文献１の場合、リジェクト庫の内部に取り込まれた紙幣の状態によっては、紙幣が整列せずに集積されたり、静電気で紙幣が側面に張り付いてしまって倒立した状態にで収納される可能性がある。この場合、リジェクト庫に設けられたセンサによって、紙幣の有無を正常に検出できず、ＡＴＭにおいて紙幣の存在を誤って認識するおそれがある。更に、紙幣の紛失に繋がる可能性もある。
【０００６】
本発明は上記の点を考慮してなされたもので、リジェクト庫の内部に取り込まれた紙幣の状態によらず、内部の紙幣を確実に検出することが可能な紙幣収納庫及び紙幣取扱装置を提供することを目的とする。
【課題を解決するための手段】
【０００７】
上記課題を解決するために本発明は、外部に対して紙幣を出し入れする紙幣出入口と、紙幣を収納する複数の紙幣収納部と、前記紙幣収納部の各々に対して、紙幣の集積動作を行う紙幣集積部と、前記紙幣収納部の各々に紙幣を搬送する内部搬送路と、前記内部搬送路の接続状態を切り替える切替部とを複数備え、紙幣取扱装置に搭載される紙幣収納庫であって、第１の発光センサと、第１の受光センサと、前記第１の発光センサから発射された光を反射する第１の反射板と、第２の発光センサと、第２の受光センサと、前記第２の発光センサから発射された光を反射する第２の反射板と、を備え、前記第１の発光センサ又は前記第１の受光センサの内、一方のセンサを底板の下側に配置し、前記第１の発光センサ又は前記第１の受光センサの内、他方のセンサを、該紙幣収納庫の第１の側面側、かつ前記第１の反射板より高い位置に配置し、前記第１の反射板を、該紙幣収納庫の第２の側面側、かつ前記底板の位置を基準とした前記第１の反射板の高さが、前記紙幣取扱装置で取り扱う紙幣の内、短手方向の長さが最短である紙幣の長さ以下となる位置に配置し、前記第２の発光センサと、前記第２の受光センサとを、前記底板の下側に配置し、前記第２の反射板を、前記第１の側面側、かつ前記底板の位置を基準とした前記第２の反射板の高さが、前記紙幣取扱装置で取り扱う紙幣の内、短手方向の長さが最短である紙幣の長さ以下となる位置に配置することを特徴とする。
【発明の効果】
【０００８】
本発明によれば、リジェクト庫の内部に取り込まれた紙幣の状態によらず、内部の紙幣を確実に検出することが可能となり、ＡＴＭにおいて紙幣の存在のご認識や、紙幣紛失のリスクを低減することが可能となる。
【図面の簡単な説明】
【０００９】
【図１】ＡＴＭを前面側から見た外観斜視図である。
【図２】ＡＴＭを背面側から見た外観斜視図である。
【図３】ＡＴＭの制御関係を示す制御ブロック図である（第１の実施形態）。
【図４】紙幣取扱装置の内部構成図である。
【図５】紙幣取扱装置の制御関係を示す制御ブロック図である。
【図６】下リジェクト庫の側面図である（第１の実施形態）。
【図７】扉が開いた状態の下リジェクト庫の斜視図である。
【図８】下リジェクト庫の下底板を示す図である。
【図９】入金計数処理時における、紙幣搬送の流れを示す図である。
【図１０】入金収納処理時における、紙幣搬送の流れを示す図である。
【図１１】紙幣が集積された状態における、下リジェクト庫の側面図である。
【図１２】紙幣が集積された状態における、下リジェクト庫の側面図である。
【図１３】紙幣が集積された状態における、下リジェクト庫の側面図である。
【図１４】下リジェクト庫の側面図である（第２の実施形態）。
【図１５】ＡＴＭの制御関係を示す制御ブロック図である（第３の実施形態）。
【図１６】係員操作部に表示される画面を示す図である。
【発明を実施するための形態】
【００１０】
（１）第１の実施形態
以下、本発明の第１の実施形態について、図面を参照して説明する。
【００１１】
図１及び図２はそれぞれ、ＡＴＭを前面側及び背面側から見た外観斜視図である。ＡＴＭ１０１の上方右部内部には、カードスロット１０２ａと連通し、利用者のカードを処理し、取引明細票を印字して放出するカード・明細票処理装置１０２が備えられている。ＡＴＭ１０１の上方左部内部には、通帳スロット１０３ａと連通し、利用者の通帳を処理し、取引明細を印字して放出する通帳処理装置１０３が備えられている。
【００１２】
また、ＡＴＭ１０１の下方右部内部には、紙幣を処理する紙幣取扱装置１が備えられている。この紙幣取扱装置１は、利用者が紙幣の投入・取り出しを行う紙幣入出金口がシャッタ２０ａに連通しており、紙幣の入金取引および出金取引を処理する。ＡＴＭ１０１の下方左部内部には、硬貨を処理する硬貨処理装置１０４が備えられている。この硬貨処理装置１０４は、入出金口がシャッタ１０４ａに連通しており、硬貨の入金取引および出金取引を処理する。なお、ＡＴＭ１０１は、硬貨処理装置１０４を備えない構成としても良い。また、ＡＴＭ１０１の正面には、取引の内容を表示および入力する顧客操作部１０５が備えられている。
【００１３】
紙幣取扱装置１は、下部に紙幣収納庫の装着部としてのトレイ１１０を備えている。トレイ１１０には、装填庫７０、紙幣収納庫７１、７２、７３、下リジェクト庫８０がＡＴＭ１０１の前後方向に一列に配置した状態で着脱可能に搭載されている。装填庫７０、紙幣収納庫７１、７２、７３、下リジェクト庫８０に収納される紙幣については、後述する。なお、図２では、背面の扉２００ａを開いてトレイ１１１を引き出す構成であるが、図１に示す前面の扉２００ｂを開いてトレイ１１１を引き出す構成としても良い。
【００１４】
図３は、ＡＴＭ１０１の制御関係を示す制御ブロック図である。ＡＴＭ１０１には、カード・明細票処理装置１０２、通帳処理装置１０３、紙幣入出金機１、硬貨処理装置１０４、顧客操作部１０５、および本体制御部１０６と、を備えている。これらのカード・明細票処理装置１０２、通帳処理装置１０３、紙幣入出金機１、硬貨処理装置１０４および顧客操作部１０５は、本体制御部１０６の制御の下に必要な動作を行う。
【００１５】
図４は紙幣取扱装置１の内部構成を示す側面図である。紙幣取扱装置１の上部には、その前面側（利用者に面する側：図４の上部右側）には、紙幣入出金口２０が配置される。また、中央部には、入金された紙幣もしくは出金される紙幣の判別を行う紙幣判別部３０が配置され、背面側（前面側の反対側：図４の上部左側）の上側には入金された紙幣を取引成立までの間、一時的に収納する一時保管庫３５が配置される。一時保管庫３５の下側には、顧客により紙幣入出金口２０から抜き取り忘れられた紙幣を収納するための上リジェクト庫７５が配置される。
【００１６】
ここで、紙幣判別部３０は前方から後方へ搬送する紙幣、および後方から前方へ搬送する紙幣のどちらであっても金種判別および真偽判別を行うことができる。つまり、紙幣判別部３０は、双方向に搬送される紙幣を金種判別および真偽判別でき、紙幣をリジェクトするか否か判別することができる。
【００１７】
紙幣取扱装置１の下部において、その前側から後側に向かって、紙幣を収納する紙幣収納庫７３、７２、７１と、入金取引や出金取引に供しない紙幣を収納する下リジェクト庫８０と、紙幣収納庫７１〜７３に対して紙幣を装填する紙幣装填部として機能する装填庫７０とが配置される。なお、装填庫７０は、紙幣収納庫７１〜７３から紙幣を回収して収納することも可能である。
【００１８】
これらの各機構は、紙幣を双方向に搬送する双方向搬送路１０ａ〜１０ｆ、および紙幣を一方向に搬送する一方向搬送路１０ｇ、１０ｈ、及び各搬送路の接続状態を切り替える紙幣振り分けゲートＧ１〜Ｇ９により接続される。また、下リジェクト庫８０の内部には、下リジェクト庫８０の内部搬送路の接続状態を切り替える内部ゲート（切替部）Ｇ１０を備える。下リジェクト庫８０の詳細な構成については、後述する。
【００１９】
図５は、紙幣取扱装置１の制御関係を示す制御ブロック図である。紙幣取扱装置１の制御部２は、ＡＴＭ１０１の本体制御部１０６と接続され、本体制御部１０６からの指令及び紙幣取扱装置１の状態検出に応じて紙幣取扱装置１の制御を行う。また、制御部２は、紙幣取扱装置１に関する情報を、必要に応じてＡＴＭ１０１の本体制御部１０６に送る。
【００２０】
この紙幣取扱装置１は、各ユニット（搬送路１０、紙幣入出金口２０、紙幣判別部３０、一時保管庫３５、装填庫７０、紙幣収納庫７１、７２、７３、上リジェクト庫７５、下リジェクト庫８０）を駆動させるためのモータ、ソレノイド、センサ等を有しており、センサで装置の状態を監視しながら、モータ及びソレノイド等を駆動制御する。特に、下リジェクト庫８０には、後述する内部搬送路８４、内部搬送路８４の接続状態を切り替える内部ゲートＧ１０、及び各種センサ９０Ｄ、９０Ｔ、９１Ｄ、９１Ｔを有しており、下リジェクト庫８０に収納される紙幣の搬送先を切り替えたり、紙幣の状態を検出することが可能となる。
【００２１】
続いて、図６〜図８を用いて、下リジェクト庫８０の詳細な構造について説明する。下リジェクト庫８０は、上部収納部８１と、下部収納部８２と、外部の搬送路との紙幣の受渡しを行うために、下リジェクト庫８０の上面に設けられ、かつ下リジェクト庫８０の一方の側面側である、第１の側面側に偏在して設けられた紙幣出入口８３ｉと、上部収納部８１、下部収納部８２のそれぞれに紙幣を集積する紙幣集積機構８３ａ１、８３ａ２と、上部収納部８１及び下部収納部８２と紙幣出入口８３との間を接続する内部搬送路８４と、上部収納部８１と下部収納部８２との一方に紙幣を収納するように切り替える内部ゲートＧ１０と、を備えている。
【００２２】
上部収納部８１の底面、下部収納部８２の底面は、それぞれ、上底板８５、下底板８６を備えている。これらの内、上底板８５は、紙幣出入口８３、内部搬送路８４及び内部ゲートＧ１０が設けられた側が上側になるように傾斜した構成であり、上部収納部８１の内部に集積された紙幣ｘ１の一端を揃えた状態で集積させることが可能となる。
【００２３】
また、下リジェクト庫８０の第１の側面側と反対側である、第２の側面側には、上部収納部８１及び下部収納部８２内の紙幣の装填及び取出しを行うための扉８７を備えている。図７に示すように、紙幣出入口８３及び接続搬送路８４を経由して、上部収納部８１（又は下部収納部８２）に集積された紙幣ｘ１（又は紙幣ｘ２）は、扉８７を矢印Ａ方向に開け、その開口部から利用者の手が挿入されることにより、下リジェクト庫８０から取り出される。なお、上部収納部８１の扉と、下部収納部８２の扉とを別々の構成にし、上部収納部８１に集積された紙幣ｘ１又は下部収納部８２に集積された紙幣ｘ２の一方のみを取り出すことが可能な状態としても良い。
【００２４】
以下、下部収納部８２の構成について詳細に説明する。下部収納部８２の下底板８６には、センサ光軸用穴８６ａ（第１の穴部）が設けられており、下底板８６の下側に、下部収納部８２に集積された紙幣の有無を検出する、光（赤外光等）を発射する発光センサ９０Ｄ（第１の発光センサ）が配置されている。発光センサ９０Ｄから発射された光（赤外光等）を受光する受光センサ９０Ｔ（第１の受光センサ）は、下リジェクト庫８０の第１の側面側に設けられており、下底板８６及び後述する反射板９２より高い位置に配置されている。なお、発光センサ９０Ｄの配置と受光センサ９０Ｔの配置とを入れ替えても良い。
【００２５】
扉８７には、発光センサ９０Ｄから発射された光を反射する反射板９２が設けられており、反射板９２の反射面により、発光センサ９０Ｄから発射された光が、受光センサ９０Ｔに到達することが可能となる（光軸ｐ、ｑを参照）。なお、図７の破線部で示す反射板９２ａは、扉８７を閉じた状態での反射板９２の位置を示している。
【００２６】
下部収納部８２の下底板８６には、別のセンサ光軸用穴８６ｂ、８６ｃ（第２の穴部、第３の穴部）が設けられており、下底板８６の下部に、光（赤外光等）を発射する発光センサ９１Ｄ（第２の発光センサ）と、発光センサ９１Ｄから発射された光（赤外光等）を受光する受光センサ９１Ｔ（第２の受光センサ）を備えている。センサ光軸用穴８６ａと８６ｂ（又は８６ｃ）との間の、紙幣の短手方向の距離ｄ１は、紙幣取扱装置１で取り扱う紙幣の内、短手方向の長さが最短である紙幣の長さ以下である。これにより、受光センサ９０Ｔにおける光の受光の有無と、受光センサ９１Ｔにおける光の受光の有無とを合わせて、下底板８６に紙幣が正常な状態で集積されているか否かを判断することが可能となる。また、センサ光軸用穴８６ａと、第１の側面側の壁面との、紙幣の短手方向の距離ｄ２と、センサ光軸用穴８６ｂ（又は８６ｃ）と第２の側面側の壁面との、紙幣の短手方向の距離ｄ３とは、紙幣が壁面に寄り掛かることが不可能な距離である必要がある。
【００２７】
下底板８６のセンサ光軸用穴８６ａ〜８６ｃは、図８に示すように、下底板８６に略直交する面Ｌを対称面として、略対称となるように設けられており、特に、センサ光軸用穴８６ａは、面Ｌと交差するように設けられている。
【００２８】
下リジェクト庫８０の第１の側面側には、発光センサ９１Ｄから発射された光を反射する反射板９３が設けられており、反射板９３の反射面により、発光センサ９１Ｄから発射された光が、受光センサ９１Ｔに到達することが可能となる（光軸ｒ、ｓを参照）。
【００２９】
なお、発光センサ９１Ｄの配置と受光センサ９１Ｔの配置とを入れ替えても良いが、図７では、発光センサ９１Ｄから発射された光（光軸ｒを参照）はセンサ光軸用穴８６ｂを通過し、センサ光軸用穴８６ｃを通過した光（光軸ｓを参照）を受光センサ９１Ｔで受光する構成となっている。
【００３０】
下底板８６の位置を基準とした反射板９２、９３の高さｍ、ｎは、紙幣取扱装置１で取り扱う紙幣の内、短手長さが最短の紙幣の長さ以下とする。これにより、下部収納部８２の壁面に寄り掛かり倒立した紙幣を検出することが可能となる。
【００３１】
なお、上記の説明においては、発光センサ９０Ｄ、９１Ｄと、受光センサ９０Ｔ、９１Ｔと、反射板９２、９３を備えた構成について説明したが、これらの構成のうち、発光センサ９１Ｄと、受光センサ９１Ｔと、反射板９３は必須の構成では無い。この場合、下底板８６には、センサ光軸用穴８６ａのみが設けられていることになる。
【００３２】
以上のように構成された紙幣処理装置１により、紙幣の入金取引及び出金取引等を実行することが可能になる。以下、図９、図１０を参照して、紙幣処理装置１における入金取引の処理動作について説明する。入金取引は、入出金口２０に投入された紙幣の真偽判別、金種判別、および計数を行う入金計数処理と、利用者により入金された金額と、入金計数処理において計数された金額とが一致し、利用者によって顧客操作部１０５より入金取引確定が指示入力された後に、紙幣を紙幣収納庫７１〜７３、リジェクト庫８０へ搬送して収納する入金収納処理とに分かれる。なお、入金収納処理において、紙幣を装填庫７０に収納する構成としても良い。
【００３３】
図９は、入金計数処理時における紙幣搬送の流れを示す図である。紙幣入出金口２０にセットされた複数枚の紙幣は、一枚ずつ分離して下方の搬送路１０ｈへ繰り出される。搬送路１０ｈへ繰出された紙幣は、搬送路１０ａより紙幣判別部３０内の搬送路を前方から後方へ通過する。紙幣判別部３０では、その内部に実装されたセンサによって、通過する紙幣の画像が取得され、その紙幣の真偽、金種、および正損状態が判別される。紙幣判別部３０を通過した紙幣は、紙幣判別部３０の後部から搬送路１０ｂを通って一旦上方へ搬送される。この搬送路１０ｂで搬送している間に、紙幣判別部３０による判別が完了し、その判別結果に応じて紙幣振り分けゲートＧ１の切り替えが行われる。すなわち、紙幣判別部３０により、ＡＴＭ１０１に受け入れることが可能な紙幣であると判別された場合、紙幣振り分けゲートＧ１は搬送路１０ｃに接続するように切り替えられ、その紙幣は搬送路１０ｃにより搬送されて一時収納部３５内に集積される。一方、紙幣判別部３０により、ＡＴＭ１０１に受け入れることが不可能な紙幣であると判別された場合、紙幣振り分けゲートＧ１は搬送路１０ｇに接続するように切り替えられ、紙幣入出金口２０に戻されて集積し、利用者に返却される。なお、搬送路上の紙幣の搬送動作の起動や停止、搬送方向の切り替え、ゲートの切り替え等の動作の制御は、図５に示す制御部２の制御により行われる（以下の説明でも同様である）。
【００３４】
図１０は、入金収納処理時における紙幣搬送の流れを示す図である。最初に、紙幣振り分けゲートＧ１、Ｇ２を一時収納部３５と紙幣判別部３０を接続するように切り替え、紙幣振り分けゲートＧ３を紙幣判別部３０と搬送路１０ａを接続するように切り替える。また、紙幣振り分けゲートＧ４は搬送路１０ｆへ接続するように切り替える。一時収納部３５から一枚ずつ繰出された紙幣は、搬送路１０ｃ、１０ｂ、紙幣判別部３０、搬送路１０ａ、１０ｆを搬送される。紙幣判別部３０で判別された金種に応じて紙幣振り分けゲートＧ５、Ｇ６、Ｇ７、Ｇ８、Ｇ９が切り替えられて、紙幣収納庫７１〜７３（又は装填庫７０）のいずれかに収納される。ここで、紙幣判別部３０によって、出金処理に供することのできない紙幣であると判別された場合、紙幣振り分けゲートＧ９を切り替えることにより、当該紙幣は下リジェクト庫８０に収納される。なお、下リジェクト庫８０の上部収納部８１に、顧客により紙幣入出金口２０から抜き取り忘れられた紙幣を収納しても良い。その場合、上リジェクト庫７５は必須の構成では無い。
【００３５】
紙幣処理装置１における処理動作として、利用者に対して、紙幣収納庫７１〜７３に収納された紙幣を出金する出金動作、装填庫７０から紙幣収納庫７１〜７３に対して紙幣を装填する装填動作、紙幣収納庫７１〜７３に収納された紙幣を装填庫７０に回収する回収動作等もあるが、詳細な紙幣搬送の流れについては、説明を割愛する。
【００３６】
続いて、図１１〜図１３を用いて、下リジェクト庫８０の下部収納部８２に紙幣が搬送された場合の動作について説明する。通常、下部収納部８２に収納される紙幣ｘは、図１！に示すように、下部収納部８２の壁面に寄り掛からずに、下底面８６に集積される。このような場合、発光センサ９０Ｄから発光された光と、発光センサ９１Ｄから発光された光とがいずれも紙幣ｘにより遮光されることにより、受光センサ９０Ｔ及び受光センサ９１Ｔは光を受光することができない。そのため、下底面８６に集積された紙幣が検出される。
【００３７】
一方、図１２に示すように、紙幣の集積不良や、静電気力による紙幣の壁面への張り付き等により、紙幣ｘが下リジェクト庫８０の第２の側面側の壁面に寄り掛かる場合、発光センサ９０Ｄから発光された光のみが紙幣ｘにより遮光されるため、受光センサ９０Ｔは光を受光することができず、受光センサ９１Ｔのみ光を受光する。そのため、紙幣ｘが、第２の側面側の壁面へ寄り掛かっていることを検出することが可能となる。同様に、図１３に示すように、下リジェクト庫８０の第１の側面側の壁面に寄り掛かる場合、発光センサ９１Ｄから発光された光のみが紙幣ｘにより遮光されるため、受光センサ９１Ｔは光を受光することができず、受光センサ９０Ｔのみ光を受光する。そのため、紙幣ｘが、第１の側面側の壁面へ寄り掛かっていることを検出することが可能となる。
【００３８】
上述した受光センサ９０Ｔ、９１Ｔの検出結果は、制御部２により本体制御部１０６に報告される。本体制御部１０６は、受光センサ９０Ｔ、９１Ｔの検出結果に応じて、様々な処理（ＡＴＭ１０１内の記憶部（ＲＡＭ等のメモリ等）の更新等）を実行する。
【００３９】
以上説明したように、本構成によれば、リジェクト庫の内部に取り込まれた紙幣の状態によらず、内部の紙幣を確実に検出することが可能となり、ＡＴＭにおいて紙幣の存在のご認識や、紙幣紛失のリスクを低減することが可能となる。
【００４０】
特に、底面に配置したセンサと反射板を併用することにより、底面に集積された紙幣のみならず、壁面に寄り掛かり倒立した紙幣も検出することが可能となる。そのため、ため、センサの数を増やさずに、低コストで信頼性の高い装置を提供することが可能となる。
【００４１】
また、リジェクト庫８０の扉にセンサや、センサの配線を実装することが不要となる。そのため、扉８０の開閉によるケーブルの断線のおそれが少ない、信頼性のよい装置を提供することが可能となる。
【００４２】
なお、上記説明においては、２つの収納部を設けた下リジェクト庫について説明したが、３つ以上の収納部を設けた下リジェクト庫においても、収納部の底板が下リジェクト庫の底面と略平行である場合に、同様の構成を採用することが可能である。
【００４３】
（２）第２の実施形態
続いて、本発明の第２の実施形態について、図面を参照して説明する。第１の実施形態におけるＡＴＭ１０１の構成と異なる点は、下リジェクト庫８０の下部収納部８２のみであり、他の構成については、第１の実施形態と共通しているため、詳細な説明は省略する。
【００４４】
図１４は、第２の実施形態における、下リジェクト庫８０の側面図である。第２の実施形態における下リジェクト庫８０は、下底板８６の位置を基準とした反射板９２、９３の高さｍ、ｎを、紙幣取扱装置１で取り扱う紙幣の内、短手長さが最短の紙幣の長さの半分以下とした点において、第１の実施形態と異なる。これにより、紙幣が半分に折れ曲がった状態で、下部収納部８２の壁面に寄り掛かり倒立した紙幣であっても検出することが可能となる。
【００４５】
第２の実施形態によれば、第１の実施形態の場合に比べて、さらに紙幣が半分に折れ曲がった状態で壁面に寄り掛かり倒立した紙幣も検出することが可能となる。そのため、より信頼性の高い装置を提供することが可能となる。
【００４６】
（３）第３の実施形態
続いて、本発明の第３の実施形態について、図面を参照して説明する。第１の実施形態におけるＡＴＭ１０１の構成と異なる点は、ＡＴＭ１０１の構成であるが、第１の実施形態と共通しているため、詳細な説明は省略する。なお、第２の実施形態における下リジェクト庫８０と、本実施形態とを組み合わせても良い。
【００４７】
図１５は、第３の実施形態における、ＡＴＭ１０１の制御関係を示す制御ブロック図である。ＡＴＭ１０１には、カード・明細票処理装置１０２、通帳処理装置１０３、紙幣入出金機１、硬貨処理装置１０４、顧客操作部１０５、および本体制御部１０６の他に、ＡＴＭ１０１の保守情報等の入力や表示を行う係員操作部１０７を備える。
【００４８】
図１６は、第３の実施形態において、係員操作部１０７に表示される画面の例を示す図である。第１の実施形態における受光センサ９０Ｔ又は受光センサ９１Ｔの一方のみが受光していない状態が一定時間経過した場合、制御部２は、係員操作部１０７に通知画面２００を表示する。通知画面２００には、受光センサ９０Ｔ又は受光センサ９１Ｔの受光状態に対応した、下リジェクト庫８０における紙幣の収納状態を示す状態図２０１と、通知文２０２とを表示する。
【００４９】
図１５に示す場合、受光センサ９０Ｔは光を受光しない一方で、受光センサ９１Ｔは光を受光しており、紙幣が扉８７側の壁面に寄り掛かって収納された状態と判断された状態を示す。このような場合、状態図２０１として、紙幣が第２の側面側の壁面に寄り掛かって収納された状態を示す図を用いる。また、通知文２０２として、例えば、「扉面側に紙幣が倒立している可能性があります。ジャムが発生するおそれがありますので、確認をお願いします。」というように、下リジェクト庫８０における、紙幣のジャムが発生するおそれを警告する文を用いる。
【００５０】
第３の実施形態によれば、第１の実施形態の場合に比べて、紙幣の収納状態を係員に対して通知することが可能となる。そのため、紙幣のジャムが発生しやすい状態であることを示す情報を容易に提供することが可能となる。
【００５１】
（４）その他の変形例
上記の実施形態の他に、下部収納部８２の壁面に突起部を設けたり、下部収納部８２の壁面を振動させることにより、下部収納部８２の壁面に寄り掛かった紙幣を、下底板８６の方向に移動させるように構成しても良い。これにより、下部収納部８２の壁面に寄り掛かった紙幣が発生した場合であっても、確実に集積させることを可能とする。
【符号の説明】
【００５２】
１：紙幣取扱装置、８０：下リジェクト庫、８１：上部収納部、８２：下部収納部、８３ｉ：紙幣出入口、８３ａ１、８３ａ２：紙幣集積機構、８４：内部搬送路、８５：上底板、８６：下底板、８６ａ〜８６ｃ：センサ光軸用穴、８７：扉、９０Ｄ、９１Ｄ：発光センサ、９０Ｔ、９１Ｔ：受光センサ、９２、９２ａ、９３：反射板
【図１】
0006338992.tif 000002
【図２】
0006338992.tif 000003
【図３】
0006338992.tif 000004
【図４】
0006338992.tif 000005
【図５】
0006338992.tif 000006
【図６】
0006338992.tif 000007
【図７】
0006338992.tif 000008
【図８】
0006338992.tif 000009
【図９】
0006338992.tif 000010
【図１０】
0006338992.tif 000011
【図１１】
0006338992.tif 000012
【図１２】
0006338992.tif 000013
【図１３】
0006338992.tif 000014
【図１４】
0006338992.tif 000015
【図１５】
0006338992.tif 000016
【図１６】
0006338992.tif 000017